(57)【要約】【課題】窓枠に対する取付作業の作業性に優れるとともに、製造コストを抑えることができる、額縁の構造を実現する。【解決手段】窓枠４の上辺を構成する上枠７の屋内側に配置する上額縁３２を、屋外側に配置された屋外側額縁材３５と、屋内側に配置された屋内側額縁材３６とから構成する。屋外側額縁材３５を、上枠７の屋内側に隣接配置し、上枠７に向けて屋外側に押し込むことで、上枠７に対して嵌合支持する。屋内側額縁材３６を、屋外側額縁材３５の屋内側に隣接配置し、屋外側額縁材３５に向けて屋外側に押し込むことで、屋外側額縁材３５に対して嵌合支持する。【選択図】図２
2020090861.tif 000002
【特許請求の範囲】
【請求項１】
建物の開口部に配置される矩形枠状の開口枠の一辺を構成する枠材の屋内側に配置され、前記枠材に対して固定される額縁であって、
屋外側に配置された屋外側額縁材と、屋内側に配置された屋内側額縁材と、を備え、
前記屋外側額縁材は、前記枠材の屋内側に隣接配置され、前記枠材に向けて屋外側に押し込むことで、前記枠材に対し直接又は他の部材を介して嵌合支持されており、
前記屋内側額縁材は、前記屋外側額縁材の屋内側に隣接配置され、前記屋外側額縁材に向けて屋外側に押し込むことで、前記屋外側額縁材に対し直接又は他の部材を介して嵌合支持されている、
額縁。
【請求項２】
前記屋外側額縁材は、前記枠材の屋内側端部に結合された屋外側取付アタッチメントを介して、前記枠材に嵌合支持されている、請求項１に記載した額縁。
【請求項３】
前記屋内側額縁材は、前記屋外側額縁材の屋内側端部に結合された屋内側取付アタッチメントを介して、前記屋外側額縁材に嵌合支持されている、請求項１〜２のうちのいずれか１項に記載した額縁。
【請求項４】
前記屋外側額縁材には、補強部材が支持されており、前記補強部材は、前記建物の開口部に固定されたアンカー部材に対して溶接固定されている、請求項１〜３のうちのいずれか１項に記載した額縁。
【請求項５】
前記枠材は、前記開口枠である窓枠の上辺を構成する上枠である、請求項１〜４のうちのいずれか１項に記載した額縁。
【請求項６】
建物の開口部に配置される矩形枠状の窓枠と、該窓枠の内側に自然風力によって開度を調整自在に支持された窓障子と、前記窓枠の屋内側に固定された額縁枠と、を備え、
前記窓枠は、上辺を構成する上枠と、下辺を構成する下枠と、縦辺を構成する１対の竪枠と、を有しており、
前記窓障子は、上辺を構成する上框と、下辺を構成する下框と、縦辺を構成する１対の竪框と、前記上框の屋内側に固定されたバランスウェイトと、を有しており、
前記額縁枠は、少なくとも、前記上枠の屋内側に固定され、前記バランスウェイトの上方に配置された上額縁と、前記１対の竪枠の屋内側にそれぞれ固定された１対の竪額縁と、を有するものである、
自然風力換気窓であって、
前記上額縁が、請求項１〜５のうちのいずれか１項に記載した額縁である、自然風力換気窓。
【発明の詳細な説明】
【技術分野】
【０００１】
本発明は、窓枠やドア枠などの開口枠の屋内側に配置される額縁枠を構成する額縁、及び、窓障子の開度を自然風力によって調整自在とした自然風力換気窓に関する。
【背景技術】
【０００２】
従来から、建物躯体の開口部には、採光や換気などを目的として、窓装置を設けることが行われている。また、窓装置を構成する窓枠の屋内側には、内壁との見切り材として、額縁枠を設けることが一般的に行われている。額縁枠は、窓枠を構成する枠材の屋内側にそれぞれ配置された複数の額縁から構成されている。
なお、額縁枠の下辺を構成する額縁は、額縁枠の上辺を構成する額縁などと区別して、膳板と呼ばれる場合もあるが、本明細書及び特許請求の範囲では、これらを区別せずに、すべて額縁と呼ぶ。
【０００３】
額縁は、窓枠を構成する上枠などの枠材に対して固定されている。枠材に対する額縁の取付構造としては、例えば特許文献１などに記載されているように、枠材の屋内側端部に設けられたヒレ状のアングルに対し、額縁の屋外側端部をねじ止め固定する構造が広く採用されている。
【０００４】
ただし、上述したような額縁の取付構造は、室内空間側からねじ止め作業を行う必要がある。このため、枠材の屋内側に十分な作業スペースを確保できれば問題ないが、例えば自然風力換気窓の場合のように、窓枠の内側に見込寸法の大きい障子を建て込んだ状態で額縁を固定しなければならない場合には、枠材の屋内側に十分な作業スペースを確保することが難しく、ねじ止め作業自体を行えなくなる可能性がある。なお、障子の見込寸法とは、障子の屋内外方向に関する寸法をいう。
【０００５】
枠材に対する額縁の取付構造としては、上述したねじを利用する構造の他に、額縁の屋外側端部を枠材の屋内側端部に対して嵌合する構造も知られている。具体的には、枠材の屋内側端部に設けられた嵌合部に向けて、額縁の屋外側端部に設けられた嵌合部を押し込むことで、枠材に対して額縁を嵌合支持する。このような額縁の取付構造によれば、額縁の押し込み作業だけで、額縁の取付作業が完了するため、枠材の屋内側に十分な作業スペースを確保することが難しい場合にも、額縁の取付作業が行えなくなることを防止できる。
【０００６】
ただし、額縁を枠材に嵌合支持する取付構造を採用した場合にも、窓枠の内側に見込寸法の大きい障子を建て込む場合には、障子の見込寸法に合わせて、額縁の見込寸法を大きくする必要がある。このため、額縁の嵌合部を枠材の嵌合部にスムーズに嵌合させることが難しくなり、額縁が屋外側への押し込み力によって断面弓形に変形するなどの問題を生じやすくなる。このように、額縁を枠材に対して嵌合支持する構造を採用した場合にも、額縁の見込寸法が大きくなると、額縁の取付作業の作業性が低下するといった問題を生じる。また、見込寸法の大きい額縁を使用する場合には、額縁を製造するための押出型も大型化するため、額縁の製造コストが嵩むといった問題も生じる。
【先行技術文献】
【特許文献】
【０００７】
【特許文献１】実開昭５８−５５８２号公報
【特許文献２】特開２０１６−１０４９６３号公報
【発明の概要】
【発明が解決しようとする課題】
【０００８】
本発明は、上述のような事情に鑑みて、窓枠などの開口枠に対する取付作業の作業性に優れるとともに、製造コストを抑えることができる、額縁の構造を実現すべく発明したものである。
【課題を解決するための手段】
【０００９】
本発明の額縁は、建物の開口部に配置される、窓枠やドア枠などの矩形枠状の開口枠の一辺を構成する枠材の屋内側に配置され、前記枠材に対して固定されるもので、屋外側に配置された屋外側額縁材と、屋内側に配置された屋内側額縁材と、を備えた２ピース構造である。
前記屋外側額縁材は、前記枠材の屋内側に隣接配置され、前記枠材に向けて屋外側に押し込むことで、前記枠材に対し直接又は他の部材を介して嵌合支持（押し込み嵌合、スナップ嵌合）されている。
前記屋内側額縁材は、前記屋外側額縁材の屋内側に隣接配置され、前記屋外側額縁材に向けて屋外側に押し込むことで、前記屋外側額縁材に対し直接又は他の部材を介して嵌合支持（押し込み嵌合、スナップ嵌合）されている。
【００１０】
本発明の額縁では、前記屋外側額縁材を、前記枠材の屋内側端部に結合された屋外側取付アタッチメントを介して、前記枠材に嵌合支持することができる。
なお、前記枠材に対する前記屋外側取付アタッチメントの結合構造としては、ねじ止め固定の他、接着固定、溶接固定、リベット固定、かしめ固定などを採用することができる。
【００１１】
本発明の額縁では、前記屋内側額縁材を、前記屋外側額縁材の屋内側端部に結合された屋内側取付アタッチメントを介して、前記屋外側額縁材に嵌合支持することができる。
なお、前記屋外側額縁材に対する前記屋内側取付アタッチメントの結合構造としては、ねじ止め固定の他、接着固定、溶接固定、リベット固定、かしめ固定などを採用することができる。
【００１２】
本発明の額縁では、前記屋外側額縁材に補強部材を支持し、前記補強部材を、前記建物の開口部に固定されたアンカー部材に対して溶接固定することができる。
【００１３】
本発明の額縁では、前記枠材を、前記開口枠である窓枠の上辺を構成する上枠とすることができる。
あるいは、本発明の額縁では、前記枠材を、前記開口枠である窓枠の下辺を構成する下枠、又は、前記開口枠である窓枠の縦辺を構成する竪枠とすることもできる。
【００１４】
本発明の自然風力換気窓は、建物の開口部に配置される矩形枠状の窓枠と、該窓枠の内側に自然風力によって開度を調整自在に支持された窓障子と、前記窓枠の屋内側に固定された額縁枠とを備えている。
前記窓枠は、上辺を構成する上枠と、下辺を構成する下枠と、縦辺を構成する１対の竪枠と、を有している。
前記窓障子は、上辺を構成する上框と、下辺を構成する下框と、縦辺を構成する１対の竪框と、前記上框の屋内側に固定されたバランスウェイトと、を有している。
前記額縁枠は、少なくとも、前記上枠の屋内側に固定され、前記バランスウェイトの上方に配置された上額縁と、前記１対の竪枠の屋内側にそれぞれ固定された１対の竪額縁と、を有している。
そして、本発明の自然風力換気窓では、前記上額縁を、本発明の額縁としている。
【発明の効果】
【００１５】
本発明によれば、窓枠などの開口枠に対する取付作業の作業性に優れるとともに、製造コストを抑えることができる、額縁の構造を実現することができる。
【図面の簡単な説明】
【００１６】
【図１】図１は、実施の形態の第１例に係る自然風力換気窓を屋内側から見た模式図である。
【図２】図２は、図１のＡ−Ａ断面に相当する縦断面図である。
【図３】図３は、図２の上部拡大図である。
【図４】図４は、図１のＢ−Ｂ断面に相当する横断面図である。
【図５】図５は、上枠に対する上額縁の取付構造を示す断面図である。
【図６】図６は、上枠と屋外側取付アタッチメントを取り出して示す断面図である。
【図７】図７は、上額縁を取り出して示す断面図である。
【図８】図８は、補助部材を取り出して示す図であり、（Ａ）は正面図であり、（Ｂ）は右側面図である。
【発明を実施するための形態】
【００１７】
［実施の形態の第１例］
実施の形態の第１例について、図１〜図８を用いて説明する。
本例は、本発明を窓装置である自然風力換気窓に適用した場合を示している。本例の自然風力換気窓１は、建物躯体２の開口部３に配置された矩形枠状の開口枠である窓枠４と、該窓枠４の内側に自然風力によって開度を調整自在に支持されたガラス障子５と、窓枠４の屋内側に固定された矩形枠状の額縁枠６とを備えている。
なお、本明細書中で、面内方向とは、水平方向の１つである、窓枠４の幅方向（図１の左右方向）をいう。また、面内方向に関して内側とは、窓枠４の幅方向中央側をいう。
【００１８】
［窓枠４の構造］
窓枠４は、面内方向に配置されて上辺を構成する上枠７と、同じく面内方向に配置されて下辺を構成する下枠８と、鉛直方向に配置されて左右の縦辺を構成する１対の竪枠９とを備えている。そして、上枠７及び下枠８の面内方向両端部と１対の竪枠９の上下方向両端部とを、それぞれタッピングねじなどを用いて連結することで、窓枠４を矩形枠状に構成している。窓枠４を構成する各枠７〜９はいずれも、アルミニウム合金の一体押し出し成形材である。なお、窓枠４を構成する各枠７〜９のうち、左右の縦辺を構成する１対の竪枠９は、屋外側に配置された屋外側竪枠９ａと屋内側に配置された屋内側竪枠９ｂとから構成されている。また、窓枠４を構成する各枠７〜９は、建物躯体２の開口部３に固定された差筋や鉄筋からなるアンカー部材１０に対してそれぞれ溶接固定されている。なお、建物躯体２の開口部３と各枠７〜９との間には、モルタル１１が詰められている。
【００１９】
［ガラス障子５の構造］
窓枠４の内側に建て込まれるガラス障子５は、矩形枠状の框枠体１２の内側に、ガラスパネル１３を嵌め込むことにより構成されている。框枠体１２は、上辺を構成する上框１４と、下辺を構成する下框１５と、左右の縦辺を構成する１対の竪框１６との、それぞれの端部を連結することにより、矩形枠状に構成されている。
【００２０】
ガラスパネル１３は、図２に示すような複層ガラスであり、スペーサ１７を介して所定の間隔を隔てて互いに平行に配置された２枚のガラス板１８ａ、１８ｂと、ガラス板１８ａ、１８ｂ同士の間の空間である中間層１９と、該中間層１９の周縁部（スペーサ１７の周囲）を密封する封着材２０とを備えている。
【００２１】
ガラスパネル１３の上辺（上縁部）、下辺（下縁部）、及び、側辺（側縁部）は、框枠体１２を構成する上框１４、下框１５、及び、左右の竪框１６にそれぞれ設けられたガラス溝２１ａ〜２１ｃの内側にそれぞれ挿入されている。また、ガラスパネル１３の下辺は、セッティングブロック２２を介して、下框１５に設けられたガラス溝２１ｂの底部に突き当てられている。また、ガラスパネル１３の外周縁寄り部分の両側面と、ガラス溝２１ａ〜２１ｃの開口部との間部分を、屋外側シール材２３ａと屋内側シール材２３ｂとで、それぞれ全周にわたりシールしている。
【００２２】
［ガラス障子５の支持構造及び開閉構造］
ガラス障子５は、窓枠４に対して、図示しない１対の軸受装置により、回転可能に支持されている。１対の軸受装置は、面内方向に離隔して配置されており、ガラス障子５の上下方向中央部よりも上側に位置している。また、１対の軸受装置は、窓枠４を構成する竪枠９とガラス障子５を構成する竪框１６との間に配置されている。それぞれの軸受装置は、竪框１６に支持され、面内方向に配置された図示しない軸部と、竪枠９（屋外側竪枠９ａ）に支持され、該軸部を回転可能に支持する図示しない軸受とから構成されている。このため、本例の自然風力換気窓１は、前記軸部の中心軸線Ｘ回りに回転する、横軸回転窓となっている。
【００２３】
ガラス障子５を構成する上框１４の屋内側には、バランスウェイト２４が固定されている。バランスウェイト２４は、前記中心軸線Ｘよりも上方に位置しており、上框１４に対して屋内側に大きく張り出すように取り付けられている。バランスウェイト２４は、上框１４の屋内側に固定された断面略コ字状のケース２５と、該ケース２５の内側に配置された図示しないおもり本体とを備えている。
【００２４】
本例のガラス障子５は、上述のようなバランスウェイト２４を備えているため、重心の位置がガラスパネル１３よりも屋内側に位置している。このため、ガラス障子５は、無風の状態で、上框１４が屋内側に移動し、下框１５が屋外側に移動するように、鉛直方向に対し所定角度（例えば２０〜４５度程度、好ましくは３０度）だけ傾いた状態で釣り合う。このため、室内で暖められた空気を重力換気により外部に排出することができる。
【００２５】
また、ガラス障子５の表面積は、前記中心軸線Ｘを挟んで上側部分よりも下側部分の方が大きいため、ガラス障子５に向けて風が吹き付けた場合に、ガラス障子５は、前記中心軸線Ｘよりも上側部分に比べて前記中心軸線Ｘよりも下側部分の方が、より多くの風を受けることになる。
【００２６】
このため、風が建物の室内から外部に向けて吹く、いわゆる負圧の風の場合には、ガラス障子５は開いたままの状態を維持し、風の強さ（風力の大きさ）により開度を変化させる。つまり、風の強さが強まれば開度を大きくし、風の強さが弱まれば開度を小さくする。
【００２７】
これに対し、風が建物の外部から室内に向けて吹く、いわゆる正圧の風の場合には、ガラス障子５は閉じるように傾き、風の強さ（風力の大きさ）により開度を変化させる。つまり、風の強さが強まれば開度を小さくし、風の強さが弱まれば開度を大きくする。
【００２８】
本例の自然風力換気窓１は、上述したような自然風力によってガラス障子５の開度を調整自在とするモードと、火災時などにガラス障子５を強制的に開放するモードと、風の強さにかかわらず、ガラス障子５を強制的に閉鎖するモードとを切り替え可能である。モードの切り替えは、竪框１６の屋内側端部に取り付けられた揺動ピン２６や、屋内側竪枠９ｂに取り付けられたカバー９ｃの内側に配置された、揺動ピン２６を揺動させるための押し引き部材２７、図示しないワイヤーや滑車などを利用して、電動又は手動で、ガラス障子５の姿勢（傾斜状態）を切り替えることにより実現する。なお、自然風力換気窓１の各種モード及びモードを切り替えるための具体的な構造については、例えば特許文献２などに詳しく記載されており、本発明の要旨ではないため、ここでの詳しい説明は省略する。
【００２９】
ガラス障子５を構成する下框１５と窓枠４を構成する下枠８との間には、施錠装置２８が設けられている。施錠装置２８は、下框１５に対して取り付けられた係合ピン２９と、下枠８の屋内側に配置され、該下枠８に対して複数の部材を介して回動可能に支持された係合片３０とにより構成されている。係合片３０の回動角度は、図示しない連動部材により、ガラス障子５の傾斜角度に応じて変更自在である。そして、図２に示したガラス障子５の閉鎖状態で、係合ピン２９と係合片３０とを係合させて、ガラス障子５を閉鎖位置に保持する。なお、このような施錠装置２８の具体的な構造についても、特許文献２などに詳しく記載されており、本発明の要旨ではないため、ここでの詳しい説明は省略する。
【００３０】
上述したような自然風力換気窓１は、配線作業が煩雑になるなどの理由から、窓枠４の内側にガラス障子５を建て込んだ状態で施工現場へと搬送され、建物躯体２の開口部３に取り付けられる。具体的には、矩形枠状に組み立てられた窓枠４の内側にガラス障子５を配置した状態で、窓枠４を構成する各枠７〜９を、建物躯体２の開口部３に予め固定されたアンカー部材１０に対してそれぞれ溶接固定する。窓枠４の屋内側に配置される額縁枠６は、窓枠４及びガラス障子５を、建物躯体２の開口部３に取り付けた状態で、窓枠４に対して固定される。
【００３１】
［額縁枠６の構造］
額縁枠６は、窓枠４の屋内側に配置され、内壁３１との間の見切り材として機能する。額縁枠６は、矩形枠状に構成されており、面内方向に配置されて上辺を構成する上額縁３２と、同じく面内方向に配置されて下辺を構成する下額縁３３と、鉛直方向に配置されて左右の縦辺を構成する１対の竪額縁３４とを備えている。このうちの上額縁３２は、上枠７の屋内側に配置されており、下額縁３３は、下枠８の屋内側に配置されている。１対の竪額縁３４は、１対の竪枠９の屋内側にそれぞれ配置されている。また、上額縁３２は、１対の竪額縁３４の上端部同士の間に配置されており、下額縁３３は、１対の竪額縁３４の下端部同士の間に配置されている。額縁枠６を構成する各額縁３２〜３４はいずれも、アルミニウム合金の一体押し出し成形材である。本例では、このような額縁枠６を構成する各額縁３２〜３４のうち、バランスウェイト２４の上方に配置されることに起因して取付作業スペースの制約を受ける、上額縁３２に対してのみ本発明を適用している。このため、上額縁３２に関しては詳しい説明を行うが、下額縁３３及び竪額縁３４に関しては簡単に説明を行う。
【００３２】
［上額縁３２の全体構造］
上額縁３２は、上枠７の屋内側に固定されており、上框１４に対して固定されたバランスウェイト２４の上方に配置されている。特に本例の上額縁３２は、屋外側に配置された屋外側額縁材３５と、屋内側に配置された屋内側額縁材３６とを備えた、２ピース構造になっている。このような上額縁３２の屋内側端部（第２屋内側立板５５）は、バランスウェイト２４の屋内側端部と、屋内外方向位置が一致している。つまり、本例の上額縁３２の見込寸法は、ガラス障子５の屋内側にバランスウェイト２４を設けたことに起因して、一般的な窓装置に組み込まれる上額縁と比較して大きくなっている。具体的には、上額縁３２の見込寸法は、８０ｍｍ〜２００ｍｍ程度であり、図示の例では１２０ｍｍである。
【００３３】
屋外側額縁材３５は、上枠７の屋内側に隣接配置されており、上枠７に対して、屋外側取付アタッチメント３７を介して嵌合支持されている。具体的には、屋外側額縁材３５を、上枠７に向けて屋外側に押し込むことで、屋外側額縁材３５の屋外側部に設けられた第１嵌合部３８を、上枠７の屋内側端部にねじ止め固定された屋外側取付アタッチメント３７に嵌合させて、屋外側額縁材３５を上枠７に対して嵌合支持（押し込み嵌合、スナップ嵌合）している。
【００３４】
これに対し、屋内側額縁材３６は、屋外側額縁材３５の屋内側に隣接配置されており、屋外側額縁材３５に対して、屋内側取付アタッチメント３９を介して嵌合支持されている。具体的には、屋内側額縁材３６を、屋外側額縁材３５に向けて屋外側に押し込むことで、屋内側額縁材３６の屋外側部に設けられた第２嵌合部４０を、屋外側額縁材３５の屋内側端部にねじ止め固定された屋内側取付アタッチメント３９に嵌合させて、屋内側額縁材３６を屋外側額縁材３５に対して嵌合支持（押し込み嵌合、スナップ嵌合）している。
なお、本例では、屋外側取付アタッチメント３７と屋内側取付アタッチメント３９とで、互いに同じ部材（共通部品）を使用している。このため、構造に関する説明は、屋外側取付アタッチメント３７のみを対象に行う。
【００３５】
［屋外側額縁材３５の構造］
屋外側額縁材３５は、図５及び図７に示すように、バランスウェイト２４の屋外側の上面と対向した平板状の第１表面板４１と、第１表面板４１の屋内側端部から上側に向けて直角に折れ曲がった第１屋内側立板４２とを備える。第１表面板４１の上面には、屋内外方向に離隔して３本の第１下側突条４３ａ、４３ｂ、４３ｃが設けられている。最も屋外側に配置された第１下側突条４３ａは、第１表面板４１の屋外側端部に設けられている。屋内外方向に関して中間に位置する第１下側突条４３ｂは、第１表面板４１の屋外寄り部分に設けられている。最も屋内側に配置された第１下側突条４３ｃは、第１表面板４１の屋内外方向中間部に設けられている。第１下側突条４３ａ〜４３ｃの上方への突出量は、第１下側突条４３ａ、第１下側突条４３ｂ、第１下側突条４３ｃの順に、屋内側に向かうほど大きくなっている。
【００３６】
第１表面板４１の上面の屋外寄り部分で、第１下側突条４３ｂ、４３ｃ同士の間には、第１屋内側立板４２と略平行に配置された第１中間立板４４が設けられている。第１中間立板４４の上端部は、屋外側に向けて略直角に折れ曲がっており、その先端部（屋外側端部）に下方に向けて直角に折れ曲がった第１上側突条４６ａが設けられている。第１上側突条４６ａと第１下側突条４３ｂとは、屋内外方向位置が互いに一致しており、第１上側突条４６ａの先端部と第１下側突条４３ｂの先端部とは互いに対向している。一方、第１屋内側立板４２の上端部には、屋外側に向けて伸長し、第１表面板４１と略平行に配置された第１裏面板４５が設けられている。第１裏面板４５の屋外側端部には、下方に向けて直角に折れ曲がった第１上側突条４６ｂが設けられている。第１上側突条４６ｂと第１下側突条４３ｃとは、屋内外方向位置が互いに一致しており、第１上側突条４６ｂの先端部と第１下側突条４３ｃの先端部とは互いに対向している。また、第１上側突条４６ｂの下方への突出量は、第１上側突条４６ａの下方への突出量よりも大きくなっている。
以上のような屋外側額縁材３５は、第１中間立板４４よりも屋外側部分によって、第１嵌合部３８を構成している。
【００３７】
［屋外側取付アタッチメント３７（屋内側取付アタッチメント３９）の構造］
屋外側取付アタッチメント３７は、図５及び図６に示すように、断面略コ字形状を有する長尺部材であり、アルミニウム合金の一体押し出し成形材である。屋外側取付アタッチメント３７は、取付ねじ４７により、上枠７の屋内側側面に固定されており、鉛直方向に配置された取付基板部４８と、該取付基板部４８の上下方向両端部から屋内側に向けて伸長した１対の張出板部４９ａ、４９ｂとを備えている。１対の張出板部４９ａ、４９ｂは、互いに近づく方向（上下方向）に弾性変形可能であり、それぞれの中間部に段部５０ａ、５０ｂを有している。
【００３８】
屋外側取付アタッチメント３７は、取付基板部４８を屋内側から屋外側へと挿通した取付ねじ４７を、上枠７の屋内側端部に対して螺合しさらに締め付けることにより、上枠７に固定されている。なお、屋外側取付アタッチメント３７は、上枠７を建物躯体２の開口部３に固定されたアンカー部材１０に対して溶接固定する以前に、上枠７に対して予め固定しておく。また、本例では、屋外側取付アタッチメント３７を、上枠７と別体として、上枠７に対して固定する構造を採用しているが、屋外側取付アタッチメントを、上枠と一体に設けることもできる。この場合には、上枠の屋内側側面から屋内側に伸長するように、１対の張出板部を設けることができる。そして、このような上枠に対して屋外側額縁材３５を直接嵌合支持する。
【００３９】
［屋外側額縁材３５と屋外側取付アタッチメント３７との嵌合構造］
図５に示すように、屋外側取付アタッチメント３７に対し屋外側額縁材３５を嵌合した状態で、屋外側額縁材３５の第１下側突条４３ａを、屋外側取付アタッチメント３７の取付基板部４８の下端部に係合させている。また、上下方向に対向した第１下側突条４３ｂ及び第１上側突条４６ａのそれぞれの先端部を、張出板部４９ａ、４９ｂの段部５０ａ、５０ｂに対して、弾性的に係合（嵌合）させている。このように、屋外側取付アタッチメント３７に対して屋外側額縁材３５を嵌合する作業は、屋外側額縁材３５を屋外側取付アタッチメント３７に向けて屋外側へ押し込むことにより行う。すなわち、第１下側突条４３ｂ及び第１上側突条４６ａの先端部により、１対の張出板部４９ａ、４９ｂを弾性変形させながら、第１下側突条４３ｂ及び第１上側突条４６ａの先端部を、段部５０ａ、５０ｂに係合（嵌合）させる。このように本例では、屋外側額縁材３５を屋外側取付アタッチメント３７に対し押し込み嵌合（スナップ嵌合、スナップイン）させることができるため、屋外側額縁材３５の取付作業スペースが、建物躯体２の開口部３の上辺とバランスウェイト２４との間に挟まれた狭い空間であるにもかかわらず、屋外側額縁材３５の取付作業を容易に行うことができる。
【００４０】
［補強構造］
本例の自然風力換気窓１は、上述したように上額縁３２の見込寸法が大きいため、屋外側額縁材３５の固定強度を十分に高めるべく、屋外側額縁材３５に対して補強部材５１を支持し、該補強部材５１を、建物躯体２の開口部３の上辺に固定されたアンカー部材１０に対して溶接固定している。
【００４１】
補強部材５１は、図８に示したように、略円盤状の取付基部５２と、該取付基部５２の円周方向１箇所から取付基部５２の直径方向に伸長した平板状の延出板部５３とを備えている。このうちの取付基部５２は、屋外側額縁材３５に設けられた第１下側突条４３ｃと第１上側突条４６ｂとの間に、回転可能に係合されている。そして、屋外側額縁材３５を構成する第１裏面板４５よりも上方に配置された延出板部５３の先端部を、建物躯体２の開口部３の上辺に固定されたアンカー部材１０に対して溶接固定している。より具体的には、建物躯体２の開口部３の上辺に下半部が露出する状態で鉛直方向に打ち込まれた第１アンカー部材（差筋）１０ａに対し、第２アンカー部材（鉄筋）１０ｂを水平方向に溶接固定しておき、該第２アンカー部材１０ｂに対して、延出板部５３の先端部を溶接固定している。
【００４２】
このような補強部材５１は、屋外側額縁材３５を上枠７に対して嵌合支持する以前に、屋外側額縁材３５に対して支持しておく。具体的には、取付基部５２を、第１下側突条４３ｃと第１上側突条４６ｂとの間に、屋外側額縁材３５の長手方向端部からスライド嵌合（係合）させることで、補強部材５１を屋外側額縁材３５に支持しておく。そして、屋外側額縁材３５を上枠７に対して嵌合支持した後、補強部材５１を屋外側額縁材３５に対して相対回転させることで、延出板部５３を第１裏面板４５よりも上方に位置させ、該延出板部５３の先端部をアンカー部材１０に対して溶接する。
【００４３】
［屋内側額縁材３６の構造］
屋内側額縁材３６は、図５及び７に示すように、屋外側額縁材３５よりも見込寸法が小さくなっており、バランスウェイト２４の屋内側部の上面と対向し、屋外側額縁材３５を構成する第１表面板４１と同一平面上に配置された、平板状の第２表面板５４と、第２表面板５４の屋内側端部から上側に向けて直角に折れ曲がった第２屋内側立板５５とを備える。第２表面板５４の上面には、屋内外方向に離隔して２本の第２下側突条５６ａ、５６ｂが設けられている。屋外側に配置された第２下側突条５６ａは、第２表面板５４の屋外側端部に設けられている。屋内側に配置された第２下側突条５６ｂは、第２表面板５４の屋外寄り部分に設けられている。第２下側突条５６ｂの上方への突出量は、第２下側突条５６ａの上方への突出量よりも大きくなっている。
【００４４】
第２表面板５４の上面の屋外寄り部分で、第２下側突条５６ｂの屋内側に隣接した部分には、第２屋内側立板５５と略平行に配置された第２中間立板５７が設けられている。第２中間立板５７の上端部は、屋外側に向けて略直角に折れ曲がっており、その先端部（屋外側端部）に下方に向けて直角に折れ曲がった第２上側突条５９が設けられている。第２上側突条５９と第２下側突条５６ｂとは、屋内外方向位置が互いに一致しており、第２上側突条５９の先端部と第２下側突条５６ｂの先端部とは互いに対向している。一方、第２屋内側立板５５の上端部には、屋外側に向けて伸長し、第２表面板５４と略平行に配置された第２裏面板５８が設けられている。第２裏面板５８の屋外側端部は、第２中間立板５７の上端部につながっている。また、第２裏面板５８の上面には、内壁３１の下面が当接している。
以上のような屋内側額縁材３６は、第２中間立板５７よりも屋外側部分によって、第２嵌合部４０を構成している。
【００４５】
［屋内側取付アタッチメント３９の構造］
前述した通り、屋内側取付アタッチメント３９は、屋外側取付アタッチメント３７と同一部品であり、取付基板部４８と、１対の張出板部４９ａ、４９ｂとを備えている。このような屋内側取付アタッチメント３９は、取付基板部４８を屋内側から屋外側へと挿通した取付ねじ６３を、屋外側額縁材３５を構成する第１屋内側立板４２に対して螺合しさらに締め付けることにより、屋外側額縁材３５に固定されている。なお、屋内側取付アタッチメント３９は、屋外側額縁材３５を上枠７に対して嵌合支持する以前に、屋外側額縁材３５にねじ止め固定しておくこともできるし、屋外側額縁材３５を上枠７に対して嵌合支持した後に、屋外側額縁材３５に対してねじ止め固定しても良い。また、本例では、屋内側取付アタッチメント３９を、屋外側額縁材３５と別体として、屋外側額縁材３５に対して固定する構造を採用しているが、屋内側取付アタッチメントを、屋外側額縁材と一体に設けることもできる。この場合には、屋外側額縁材（第１屋内側立板）の屋内側側面から屋内側に伸長するように、１対の張出板部を設けることができる。そして、このような屋外側額縁材に対して屋内側額縁材３６を直接嵌合支持する。
【００４６】
［屋内側額縁材３６と屋内側取付アタッチメント３９との嵌合構造］
図５及び７に示すように、屋内側取付アタッチメント３９に対し屋内側額縁材３６を嵌合した状態で、屋内側額縁材３６の第２下側突条５６ａを、屋内側取付アタッチメント３９の取付基板部４８の下端部に係合させている。また、上下方向に対向した第２下側突条５６ｂ及び第２上側突条５９のそれぞれの先端部を、張出板部４９ａ、４９ｂの段部５０ａ、５０ｂに対して、弾性的に係合（嵌合）させている。このように、屋内側取付アタッチメント３９に対して屋内側額縁材３６を嵌合する作業は、屋内側額縁材３６を屋内側取付アタッチメント３９に向けて屋外側へ押し込むことにより行う。すなわち、第２下側突条５６ｂ及び第２上側突条５９の先端部により、１対の張出板部４９ａ、４９ｂを弾性変形させながら、第２下側突条５６ｂ及び第２上側突条５９の先端部を、段部５０ａ、５０ｂに係合（嵌合）させる。このように本例では、屋内側額縁材３６を、屋外側額縁材３５に固定された屋内側取付アタッチメント３９に対し押し込み嵌合（スナップ嵌合、スナップイン）させることができるため、屋内側額縁材３６の取付作業スペースが、建物躯体２の開口部３の上辺とバランスウェイト２４との間に挟まれた狭い空間であるにもかかわらず、屋内側額縁材３６の取付作業を容易に行うことができる。
【００４７】
［下額縁３３の構造］
下額縁３３は、図２に示すように、上額縁３２と同じ見込寸法を有しており、下枠８の屋内側端部に、断面Ｌ字形状の取付部材６０を介して固定されている。具体的には、取付部材６０は、下枠８の屋内側側面の下端部に取付ねじ６１ａにより屋内側から固定されている。そして、このような取付部材６０に対して、下額縁３３の屋外側端部を、取付ねじ６１ｂにより上側から固定している。また、上額縁３２と同じように、下額縁３３の見込寸法も大きいため、下額縁３３の固定強度を十分に高めるべく、下額縁３３に対して補強部材５１ａを支持し、該補強部材５１ａを、建物躯体２の開口部３の下辺に固定されたアンカー部材１０に対して溶接固定している。なお、補強部材５１ａは、屋外側額縁材３５を溶接固定するのに用いた補強部材５１と同じ部材（共通部品）であるため、同等部分には同一符号を付して、重複する説明は省略する。なお、下額縁３３は、上額縁３２と同じ見込寸法を有しているが、下額縁３３の上方には、見込寸法の大きいバランスウェイト２４のような部材が存在せず、ねじ止め作業のための十分なスペースを確保できるため、上額縁３２のような構造を採用しなくて済む。
【００４８】
［竪額縁３４の構造］
竪額縁３４は、図４に示すように、竪枠９を構成する屋内側竪枠９ｂの屋内側端部に、ねじ止め固定されている。具体的には、竪額縁３４は、断面略Ｊ字形状を有しており、その屋外側端部を、屋内側竪枠９ｂの屋内側端部に対して、取付ねじ６２により面内方向内側から固定している。
【００４９】
以上のような本例の自然風力換気窓１においては、上枠７に対する上額縁３２の取付作業の作業性を良好にできるとともに、上額縁３２の製造コストを抑えることができる。
すなわち、上額縁３２を、屋外側額縁材３５と屋内側額縁材３６との２ピース構造として、屋外側額縁材３５及び屋内側額縁材３６の見込寸法を、上額縁３２を１ピース構造とした場合の見込寸法に比べて短くしている。また、屋外側額縁材３５及び屋内側額縁材３６をそれぞれ押し込み嵌合によって、屋外側額縁材３５及び屋内側額縁材３６の屋外側にそれぞれ存在する相手部材に対し嵌合支持できるようにしている。このため、屋外側額縁材３５及び屋内側額縁材３６を、屋外側に向けて押し込むだけで相手部材に対して取り付けることができ、ねじ止め作業を行う必要がないので、作業スペースが、建物躯体２の開口部３の上辺とバランスウェイト２４との間に挟まれた狭い空間であるにもかかわらず、屋外側額縁材３５及び屋内側額縁材３６の取付作業を容易に行うことができる。また、屋外側額縁材３５及び屋内側額縁材３６の見込寸法を短くできるため、屋外側額縁材３５及び屋内側額縁材３６に、屋外側への押し込み力によって断面弓形に変形するなどの問題が生じることを防止できる。したがって、屋外側額縁材３５の第１嵌合部３８を屋外側取付アタッチメント３７に対してスムーズに嵌合させることができるとともに、屋内側額縁材３６の第２嵌合部４０を屋内側取付アタッチメント３９に対してスムーズに嵌合させることができる。この結果、上枠７に対する上額縁３２の取付作業の作業性を良好にすることができる。
【００５０】
また、屋外側額縁材３５及び屋内側額縁材３６の見込寸法を短くできるため、これら屋外側額縁材３５及び屋内側額縁材３６を製造するための押出型として、大型のものを使用しなくて済む。このため、上額縁３２の製造コストが嵩むことも防止できる。しかも、屋外側額縁材３５及び屋内側額縁材３６は、本例の自然風力換気窓１とは異なる別の窓装置に使用する額縁材と部品の共通化を図りやすくなるため、この面からも製造コストの低減を図れる。
【００５１】
本発明は、上額縁に限らず、下額縁又は竪額縁に適用することができる。さらに、自然風力換気窓に限らず、たてすべり出し窓、横すべり出し窓、外開き窓、内開き窓、ＦＩＸ窓などのプロジェクト窓は勿論、引き戸式の窓装置やドア装置に適用することもできる。また、上枠に対する屋外側額縁材の嵌合構造、及び、屋外側額縁材に対する屋内側額縁材の嵌合構造は、本例で説明した構造に限定されず、屋外側への押し込み作業により嵌合を実現できる構造であれば、従来から知られた各種の嵌合構造を採用することができる。また、自然風力換気窓の窓障子の開度を自然風力によって調節自在とする構造に関しても、実施の形態で説明した構造に限らず、従来から知られた各種の構造を採用することができる。
【符号の説明】
【００５２】
１    自然風力換気窓
２    建物躯体
３    開口部
４    窓枠
５    ガラス障子
６    額縁枠
７    上枠
８    下枠
９    竪枠
９ａ  屋外側竪枠
９ｂ  屋内側竪枠
９ｃ  カバー
１０  アンカー部材
１０ａ  第１アンカー部材
１０ｂ  第２アンカー部材
１１  モルタル
１２  框枠体
１３  ガラスパネル
１４  上框
１５  下框
１６  竪框
１７  スペーサ
１８ａ、１８ｂ  ガラス板
１９  中間層
２０  封着材
２１ａ〜２１ｃ  ガラス溝
２２  セッティングブロック
２３ａ  屋外側シール材
２３ｂ  屋内側シール材
２４  バランスウェイト
２５  ケース
２６  揺動ピン
２７  押し引き部材
２８  施錠装置
２９  係合ピン
３０  係合片
３１  内壁
３２  上額縁
３３  下額縁
３４  竪額縁
３５  屋外側額縁材
３６  屋内側額縁材
３７  屋外側取付アタッチメント
３８  第１嵌合部
３９  屋内側取付アタッチメント
４０  第２嵌合部
４１  第１表面板
４２  第１屋内側立板
４３ａ〜４３ｃ  第１下側突条
４４  第１中間立板
４５  第１裏面板
４６ａ、４６ｂ  第１上側突条
４７  取付ねじ
４８  取付基板部
４９ａ、４９ｂ  張出板部
５０ａ、５０ｂ  段部
５１  補強部材
５２  取付基部
５３  延出板部
５４  第２表面板
５５  第２屋内側立板
５６ａ、５６ｂ  第２下側突条
５７  第２中間立板
５８  第２裏面板
５９  第２上側突条
６０  取付部材
６１ａ、６１ｂ  取付ねじ
６２  取付ねじ
６３  取付ねじ
【図１】
2020090861.tif 000003
【図２】
2020090861.tif 000004
【図３】
2020090861.tif 000005
【図４】
2020090861.tif 000006
【図５】
2020090861.tif 000007
【図６】
2020090861.tif 000008
【図７】
2020090861.tif 000009
【図８】
2020090861.tif 000010